(57)【要約】【課題】薄型ディスプレイパネルを傷付けるおそれなく一枚宛包囲できる使い勝手の優れた板状物梱包用具を提供する。【解決手段】上面に少なくとも一対の支杆４を突設してなる長方形板状のプラスチック製底板体Ａと、下面に少なくとも一対の支杆４を突設してなる長方形板状のプラスチック製天板体Ｂとからなり、該底板体の支杆をディスプレイパネルＣに設けられた固定枠１０の下端開口に貫挿して該ディスプレイパネルを該底板体上に起立姿勢にして載置するとともに、前記天板体の支杆４を該ディスプレイパネルの固定枠１０の上端開口に貫挿することにより該ディスプレイパネル上に該天板体Ｂを被覆する。【選択図】図４
2006051970.tif 000002
【特許請求の範囲】
【請求項１】
上面に少なくとも一対の支杆を突設してなる長方形板状のプラスチック製底板体と、下面に少なくとも一対の支杆を突設してなる長方形板状のプラスチック製天板体とからなり、該底板体の支杆を板状物に設けられた固定枠の下端開口に貫挿して該板状物を該底板体上に起立姿勢にして載置するとともに、前記天板体の支杆を該板状物の固定枠の上端開口に貫挿することにより該板状物上に該天板体を被覆することを特徴とした板状物梱包用具。
【請求項２】
プラスチック製底板体およびプラスチック製天板体にその両長側辺が隣り合う隣接状態に保持するための連結手段を設けたことを特徴とする請求項１に記載の板状物梱包用具。
【請求項３】
支杆はプラスチック製底板体およびプラスチック製天板体と夫々一体に形成されたものである請求項１または２に記載の板状物梱包用具。
【請求項４】
支杆はプラスチック製底板体およびプラスチック製天板体と夫々別体に形成され、該プラスチック製底板体および該プラスチック製天板体に対して夫々位置調節可能に取り付けられるものである請求項１または２に記載の板状物梱包用具。
【請求項５】
底板体に移動用のキャスターを設けた請求項１〜４のいずれかに記載の板状物梱包用具。
【請求項６】
板状物の上端縁に剛性棒を横架状に止着し、上面に支杆を突設してなるプラスチック製底板体を複数個隣り合わせに連結して配置し、該板状物に設けられた固定枠の下端開口に該支杆を貫挿することにより複数枚の板状物を該プラスチック製底板体上に起立させるとともに、該板状物を囲う側板の上縁に前記剛性棒の両端部を架して固定することを特徴とした板状物梱包用具。
【発明の詳細な説明】
【技術分野】
【０００１】
本発明は、プラズマディスプレイパネル，液晶ディスプレイパネル等の薄型ディスプレイパネルを包囲する梱包用具に関するものである。
【背景技術】
【０００２】
下記特許文献１に示された板状物搬送容器は、容器内壁面に仕切を設け該仕切に保持させることにより複数枚の板状物を該容器内に縦置き状として収容するものであった。
【特許文献１】特開平１１−７９２７６号公報
【０００３】
ところで、薄型大画面テレビに使用されるプラズマディスプレイパネル，液晶ディスプレイパネル等のディスプレイパネルを上記のような仕切を有する容器に複数枚収容する場合、ディスプレイパネルの一部が仕切によって圧迫され、精細な部分を破損させるおそれがあった。
また、大型ディスプレイパネルの場合、従来の容器では出し入れが容易でなく、隣り合うディスプレイパネルを傷付けるおそれがあるなどの問題があった。
【発明の開示】
【発明が解決しようとする課題】
【０００４】
そこで、本発明は上記のような薄型ディスプレイパネルを傷付けるおそれなく一枚宛包囲できる使い勝手の優れた板状物梱包用具を提供しようとするものである。
【課題を解決するための手段】
【０００５】
その課題を解決するために請求項１に記載の板状物梱包用具の発明は、上面に少なくとも一対の支杆を突設してなる長方形板状のプラスチック製底板体と、下面に少なくとも一対の支杆を突設してなる長方形板状のプラスチック製天板体とからなり、該底板体の支杆を板状物に設けられた固定枠の下端開口に貫挿して該板状物を該底板体上に起立姿勢にして載置するとともに、前記天板体の支杆を該板状物の固定枠の上端開口に貫挿することにより該板状物上に該天板体を被覆することを特徴とする。
このように、板状物を固定枠をもって支持し梱包できるようにしたことで、大型のディスプレイパネルでも精細な部分を破損させるおそれなく輸送，保管ができる。
【０００６】
また請求項２に記載の発明は上記板状物梱包用具において、プラスチック製底板体およびプラスチック製天板体にその両長側辺が隣り合う隣接状態に保持するための連結手段を設けたことを特徴とする。
連結することにより、１梱包が１つの剛体になり、輸送状態が安定する。これにより、必要枚数のディスプレイパネルを隣接状態に保持して輸送，保管等することができ、取扱い、使い勝手が向上する。
【０００７】
また請求項３に記載の発明は上記板状物梱包用具において、支杆はプラスチック製底板体およびプラスチック製天板体と夫々一体に形成されたものであることを特徴とする。
【０００８】
また請求項４に記載の発明は、上記板状物梱包用具において、支杆はプラスチック製底板体およびプラスチック製天板体と夫々別体に形成され、該プラスチック製底板体および該プラスチック製天板体に対して夫々位置調節可能に取り付けられるものであることを特徴とする。
このため、支杆をディスプレイパネルの固定枠に合うように容易に仕様変更することができる。このため汎用性が優れる。
【０００９】
また請求項５に記載の発明は、上記板状物梱包用具において、底板体に移動用のキャスターを設けたことを特徴とする。
このため、梱包状態での移動が容易となる。また、梱包状態での移動に限らず、連結状態および非連結状態でも工場内移動に役立つ。
【００１０】
また請求項６に記載の板状物梱包用具の発明は、板状物の上端縁に剛性棒を横架状に止着し、上面に支杆を突設してなるプラスチック製底板体を複数個隣り合わせに連結して配置し、該板状物に設けられた固定枠の下端開口に該支杆を貫挿することにより複数枚の板状物を該プラスチック製底板体上に起立させるとともに、該板状物を囲う側板の上縁に前記剛性棒の両端部を架して固定することを特徴とする。
この板状物梱包用具では、剛性棒によってディスプレイパネルを起立姿勢に支持できるとともに確実に隣のパネルとの接触を防ぎ、剛性棒を介してディスプレイパネルを吊り上げられるので取り扱いが容易となる。
【発明の効果】
【００１１】
大型の板状物を精細な部分を破損させるおそれなく、梱包できるとともに、板状物を一枚ずつ梱包できることから一つの容器内に複数枚を収容するものと異なり、保管に際して無駄なスペースを要することなく、取扱いが簡便になり、使い勝手が向上する。
【実施例１】
【００１２】
次に本発明の実施例１を図面に従い説明する。本発明に係る板状物梱包用具を構成するプラスチック製底板体Ａとプラスチック製天板体Ｂとは、いずれも射出成形により同形に形成されたものであるので、図面では同一部分に同一符号を付して説明する。図１はこの底板体Ａおよび天板体Ｂの斜視図、図２はこの底板体Ａおよび天板体Ｂを視点を変えて見た斜視図である。この底板体Ａおよび天板体Ｂは、長方形板状の板体１の両短辺に直交起立状に側板２が一体に形成され、該板体１の内面には適宜間隔を離して一対の四角錐状の基台部３が一体に形成され、該基台部上に一対の角軸状の支杆４が垂直に突設されている。なお、板体１の表面、及び側板２の表面には補強のために多数の格子状リブが形成されている。５は該側板２に形成された把手用透孔である。また、支杆４の表面にも補強および緩衝を目的として格子状リブが形成されとともに、該支杆４の外径は僅かに先細りテーパ状なるように形成されている。また、連結手段として、板体１の一方の長側辺に蟻溝形状の一対の凹欠６が適宜間隔を離して形成され、該凹欠に合致する凸起７が該板体１の他方の長側辺に形成されている。これによって、図３に示したように、該凹欠６に凸起７を合致させることにより、この底板体Ａおよび天板体Ｂを隙間無く隣接状に並べられるようにしている。なお、この底板体Ａおよび天板体Ｂは、塵付着防止のために帯電防止または導電性プラスチックにより成形するのが望ましい。
【００１３】
図４は上記底板体Ａ，天板体Ｂ、および、プラズマディスプレイ等のディスプレイパネルＣを示す斜視図で、該ディスプレイパネルＣの背面には角パイプを井桁状に組み合わせてなる固定枠１０が予め設けられている。底板体Ａは支杆４が上向きとなるように水平に配置され、図５に示したように、該支杆４を該固定枠１０の下端開口に貫挿することにより該ディスプレイパネルＣを該底板体Ａ上に起立姿勢にして載置するとともに、天板体Ｂの支杆４を該固定枠１０の上端開口に貫挿することにより該ディスプレイパネルＣ上に該天板体Ｂを被覆する。これによってディスプレイパネルＣは底板体Ａと天板体Ｂにより挟着されて梱包される。なお、支杆４の表面は上記のように表面に格子状リブが形成されていることから固定枠１０の角パイプ内面にプラスチックの弾性により隙間無く密接しガタを生じさせない。そして、固定枠１０中に支杆４が貫挿され該固定枠の下端開口が基台部３の上面に当接することにより該ディスプレイパネルＣの荷重が該基台部３を介して底板体Ａに支承される。
【００１４】
こうして上下部が底板体Ａおよび天板体Ｂにより包囲されたディスプレイパネルＣは、多数枚を保管，輸送するに際しては、図６に示したように、パレットＤ上に上記凹欠６に凸起７を合致させることにより底板体Ａおよび天板体Ｂの長側面が隣り合い密接することになりディスプレイパネルＣの互いの干渉が防がれるとともに隙間無く隣接状に並べられる。そしてこの状態で紙またはプラスチック製の段ボール等を資材として成形された矩形筒状の外装箱Ｅを被せることにより周囲が包囲され、その上に天パレットＦを被せることにより上面も包囲される。こうして全面を包装することにより、内部に塵，埃等を侵入させないようにでき、ディスプレイパネルＣを保護できる。
【実施例２】
【００１５】
一方、図７〜図１５は本発明に係る板状物梱包用具の実施例２を示すもので、同図中、前記実施例と同一部分は同一符号を付す。この実施例では板体１の四側辺に側板２を一体に形成し、底板体Ａ，天板体Ｂをプラスチック製の容器状に形成することにより強度アップしている。また、支杆４は、図９に示したように、四角錐状の基台部３と共に該底板体Ａ，天板体Ｂとは別体にプラスチックで成形され、該基台部３に貫挿したボルト２０を図１０に示したように該板体１に止着されたナット２１に螺合することにより垂直に止着される。この場合、予め板体１に支杆４を止着し得る複数の止孔２２を形成しておくことにより、支杆４の位置をディスプレイパネルＣの固定枠１０の位置に合うように容易に仕様変更することができる。またこの実施例では、図１２に示したコ字形に形成された連結部材２３を図１１に示したように底板体Ａ，天板体Ｂの板体１の外方突出縁の両側に形成された係合孔２４に貫挿することにより隣接状に連結できるものを連結手段としている。そして、図１３，図１４に示したように、支杆４を固定枠１０の下端開口および上端開口より貫挿することにより、上記実施例と同様にディスプレイパネルＣの上下縁を包囲することができる。
【００１６】
このように本発明では、支杆４を固定枠１０に貫挿しディスプレイパネルＣを支持することにより該ディスプレイパネルＣを強固に保持することができるので、ディスプレイパネルＣが輸送中の振動等によりガタ付くことなく、また、ディスプレイパネルの一部が仕切等によって圧迫され破損させるようなおそれもない。
【００１７】
また、底板体Ａと天板体Ｂによりディスプレイパネルが一枚ずつ梱包されるとともに、これを隣接状に連結したり分離したりすることが自由にできるので、一つの容器内に複数枚を収容するものと異なり、保管に際して無駄なスペースを要することなく、取扱いが簡便になり、使い勝手が向上する。
【００１８】
なお、図１５に示したように、底板体Ａの下面にキャスター２５を設ければ、ディスプレイパネルＣを１枚宛この梱包状態にままで工場内等を容易に移動させることができるようになる。
【実施例３】
【００１９】
また、図１６〜図２３は請求項６に記載した本発明の実施例３を示すもので、図１６は適宜間隔でタブ３１が形成された横断面Ｌ形の鋼材等からなる剛性棒３０を示し、該剛性棒３０の両端部に図１７に示したプラスチック製のエンドキャップ３２を嵌着してなる。この剛性棒３０を図１８に示したようにディスプレイパネルＣの上端縁にボルト３３を貫挿することにより止着し、該剛性棒３０を持ち上げることで該ディスプレイパネルＣが吊り下げられるようにする。
【００２０】
また、図１９に示したプラスチック製の底板体Ａは、格子状リブにより補強された略正方形状の板体１の上面に四角錐状の基台部３が一体に形成され、該基台部上に角軸状の支杆４が垂直に突設され、連結手段として、板体１の一方の側辺に蟻溝形状の凹欠６が形成され、該凹欠に合致する凸起７が該板体１の他方の側辺に形成されたものである。これによって、図２０に示したように、該凹欠６に凸起７を合致させることにより、この底板体Ａを隙間無く隣接状に並べられる。
【００２１】
そして図２１に示したように、パレットＤ上に緩衝材からなる敷板３４を配置し、該敷板３４上に複数の底板体Ａを隣接状に並べる。そして前記剛性棒３０のエンドキャップ３２が嵌合し得る切込３６が上縁に形成された緩衝材からなる一対の側板３５を該敷板３４上に起立状に配置し、ディスプレイパネルＣを該剛性棒３０を介して吊り上げ、該ディスプレイパネルに設けられた固定枠１０の下端開口に支杆４を貫挿することにより、図２２，図２３に示したように複数枚のディスプレイパネルＣを該底板体Ａ上に起立させ、剛性棒の両端部にエンドキャップ３２を切込３６中に嵌めることにより、該側板３５を緩衝材の目的をしたクッション性がある板材を採用しても沈み込むことがなく該側板３５の上縁に架し固定する。これによって各ディスプレイパネルＣが起立状態に支持され、複数枚のディスプレイパネルの互いの干渉が防がれるとともに隙間無く隣接状に並べられる。また、剛性棒３０に吊り下げることによって扱いが容易になるとともに、下の支杆４を小型化することができる。そして、この状態で矩形筒状の外装箱Ｅを被せることにより周囲を包囲し、その上に天パレットＦを被せる。これにより、塵，埃等の侵入が防がれる。
【図面の簡単な説明】
【００２２】
【図１】本発明の実施例１である板状物梱包用具の底板体および天板体の斜視図。
【図２】図１の底板体および天板体を視点を変えて見た斜視図。
【図３】本発明の実施例１である板状物梱包用具の底板体を連結したときの斜視図。
【図４】本発明の実施例１である板状物梱包用具の分解斜視図。
【図５】本発明の実施例１である板状物梱包用具の斜視図。
【図６】本発明の実施例１である板状物梱包用具を外装箱によって包囲する際の斜視図。
【図７】本発明の実施例２である板状物梱包用具の底板体および天板体の斜視図。
【図８】図７の底板体および天板体を視点を変えて見た斜視図。
【図９】本発明の実施例２である板状物梱包用具の支杆の斜視図。
【図１０】本発明の実施例２である板状物梱包用具の底板体の要部の縦断面図。
【図１１】本発明の実施例２である板状物梱包用具の底板体を連結したときの斜視図。
【図１２】本発明の実施例２である板状物梱包用具の連結部材の斜視図。
【図１３】本発明の実施例２である板状物梱包用具の分解斜視図。
【図１４】本発明の実施例２である板状物梱包用具の斜視図。
【図１５】本発明の実施例２である板状物梱包用具の底板体の斜視図。
【図１６】本発明の実施例３である板状物梱包用具の剛性棒の斜視図。
【図１７】本発明の実施例３である板状物梱包用具の剛性棒のキャップの斜視図。
【図１８】本発明の実施例３である板状物梱包用具の剛性棒を止着したディスプレイパネルの斜視図。
【図１９】本発明の実施例３である板状物梱包用具の底板体の斜視図。
【図２０】本発明の実施例３である板状物梱包用具の底板体を連結したときの斜視図。
【図２１】本発明の実施例３である板状物梱包用具の分解斜視図。
【図２２】本発明の実施例３である板状物梱包用具の正面図。
【図２３】本発明の実施例３である板状物梱包用具を外装箱によって包囲する際の斜視図。
【符号の説明】
【００２３】
Ａ    底板体
Ｂ    天板体
Ｃ    ディスプレイパネル
Ｄ    パレット
Ｅ    外装箱
１    板体
２    側板
３    基台部
４    支杆
６    凹欠
７    凸起
１０  固定枠
２０  ボルト
２１  ナット
２２  止孔
２３  連結部材
２４  係合孔
２５  キャスター
３０  剛性棒
３５  側板
３６  切込
【図１】
2006051970.tif 000003
【図２】
2006051970.tif 000004
【図３】
2006051970.tif 000005
【図４】
2006051970.tif 000006
【図５】
2006051970.tif 000007
【図６】
2006051970.tif 000008
【図７】
2006051970.tif 000009
【図８】
2006051970.tif 000010
【図９】
2006051970.tif 000011
【図１０】
2006051970.tif 000012
【図１１】
2006051970.tif 000013
【図１２】
2006051970.tif 000014
【図１３】
2006051970.tif 000015
【図１４】
2006051970.tif 000016
【図１５】
2006051970.tif 000017
【図１６】
2006051970.tif 000018
【図１７】
2006051970.tif 000019
【図１８】
2006051970.tif 000020
【図１９】
2006051970.tif 000021
【図２０】
2006051970.tif 000022
【図２１】
2006051970.tif 000023
【図２２】
2006051970.tif 000024
【図２３】
2006051970.tif 000025